(57)【要約】      （修正有）【課題】治療や診察の際に簡単且つ適切に下腹部を露出させることができる受診用下衣を提供する。【解決手段】胴収容部と、右足収容部と、左足収容部とを備えたズボンであり、左右夫々に、体側に沿って上方から下方へ伸びる切れ目と、当該切れ目を結合する締結具とを備え、この左右の切れ目により胴収容部本体から左右の切れ目間の前開き部分が区画されている。切れ目の夫々は、胴収容部の開口部を上端とし、当該開口部から股上の長さの０．８倍以上の長さ下方であって膝より下方側に越えない位置を下端として、左右の足収容部の夫々は、少なくとも膝下から裾にかけて、切れ目が設けられていない非開放部を備え、締結具を解いて左右の切れ目を開放することにより、下腹部について左右の切れ目間に渡る部位全てを、露出させることができる。【選択図】図１
0003145079.tif 000002
【実用新案登録請求の範囲】
【請求項１】
下腹部及び臀部を収容する上方に開口した筒状の胴収容部と、胴収容部の下方に延設されて足を収容する筒状の、右足収容部と、左足収容部とを備えたズボンであり、ズボンの左右夫々に、体側に沿って上方から下方へ伸びる切れ目と、当該切れ目を結合する締結具とを備え、この左右の切れ目により胴収容部本体から左右の切れ目間の前開き部分が区画された受診用下衣において、
切れ目の夫々は、胴収容部の開口部を上端とし、当該開口部から股上の長さの０．８倍以上の長さ下方であって膝より下方側に越えない位置を下端として、設けられたものであり、
左右の足収容部の夫々は、少なくとも膝下から裾にかけて、切れ目が設けられていない非開放部を備えたものであり、
締結具を解いて左右の切れ目を開放することにより、胴収容部本体から前開き部分を前方に開いて、下腹部について左右の切れ目間に渡る部位全てを、露出させることができる受診用下衣。
【請求項２】
胴収容部の左右夫々は、締結具とは別途の、前開き部分の左右上端と胴収容部本体の左右上端とを結合する係止部を備えたことを特徴とする請求項１記載の受診用下衣。
【請求項３】
胴収容部のウエスト部分の生地には、胴回りに沿って伸縮自在な弾性部材が設けられ、
弾性部材は、前開き部分と胴収容部本体の夫々において、左側の切れ目から右側の切れ目に掛けて設けられたものであり、
胴収容部のウエスト部分の左右夫々について、当該ウエスト部分が胴回りに沿って最大限引き伸ばされた状態の、前開き部分の係止部が固定された部位と胴収容部本体の係止部が固定された部位との長さよりも、係止部夫々の胴回りの長さは、短いものであることを特徴とする請求項２記載の受診用下衣。
【請求項４】
左右の係止部の夫々は、前開き部分の上端に基端が縫い付けられた前布片と、胴収容部本体の上端に基端が縫い付けられた後布片と、前布片と後布片夫々の先端側を、係脱自在に係止する係止具とを備えたことを特徴とする請求項３記載の受診用下衣。
【請求項５】
縫い合わされた、左前身頃と、右前身頃と、左後身頃と、右後身頃と、股下布部とにて構成され、
股下布部は、胴収容部の底部において、左前身頃と右前身頃と左後身頃と右後身頃との間に介され、左前端を左前身頃に、右前端を右前身頃に、左後端を左後身頃に、右後端を右後身頃に、縫い合わされたものであることを特徴とする請求項４記載の受診用下衣。
【請求項６】
上記の締結具は、スライダーを備えたスライドファスナであり、
上記の前後の布片は、係止具にて係止されることにより、ウエスト部分に引き上げられたスライダーを覆うものであり、
上記の係止具は、ボタン、ホック、スナップ、コハゼ又は面ファスナであることを特徴とする請求項５記載の受診用下衣。
【考案の詳細な説明】
【技術分野】
【０００１】
本願考案は、受診用下衣に関するものであり、特に、下腹部の治療や診察の際に、患者が着用するのに最適な受診用下衣に関する。
【背景技術】
【０００２】
【特許文献１】実用新案登録第３１０３６１７号公報
【０００３】
例えば、膀胱癌、前立腺癌や子宮癌の診察やその放射線治療を受ける場合に、受診衣を脱がずに下腹部のみを露出させることが望まれる。
一方、従来より、治療や診察の際に、患部を露出させることが簡単な受診衣が開発されている。
例えば、上記の特許文献１において、その図４に、ズボンに設けられた左右のスライドファスナを下方に下ろして、下腹部を覆う部分を前方に開いて、下腹部を露出させるものが示されている。
【考案の開示】
【考案が解決しようとする課題】
【０００４】
ところが、特許文献１に示すズボンは、左右のファスナは、ズボンの左右において、ズボンの上端から下方の裾まで伸びるものであり、下腹部のみを露出させる位置にて左右のファスナのスライダを止めて、適切に下腹部を覆う部分のみを前方に開くのは、意外に難しいものである。具体的には、スライダを下ろす適切な位置が定まらず、スライダを下ろしすぎて、下腹部以外の部分も大きく露出させてしまったり、また、スライダの一回の操作で適切な位置まで下ろし足りずに、再度スライダを操作しなくてはならないということが、生じるからである。また、左右のファスナのスライダの位置をほぼ同じ位置に下ろすというのも難しいものである。
【０００５】
本願考案は、簡単且つ適切に下腹部を露出させることができる、上記の課題を解決した受診用下衣の提供を目的とする。
【課題を解決するための手段】
【０００６】
本願の請求項１に係る考案は、下腹部及び臀部を収容する上方に開口した筒状の胴収容部と、胴収容部の下方に延設されて足を収容する筒状の、右足収容部と、左足収容部とを備えたズボンであり、ズボンの左右夫々に、体側に沿って上方から下方へ伸びる切れ目と、当該切れ目を結合する締結具とを備え、この左右の切れ目により胴収容部本体から左右の切れ目間の前開き部分が区画された受診用下衣について、次の構成を採るものを提供する。
即ち、切れ目の夫々は、胴収容部の開口部を上端とし、当該開口部から股上の長さの０．８倍以上の長さ下方であって膝より下方側に越えない位置を下端として、設けられたものであり、左右の足収容部の夫々は、少なくとも膝下から裾にかけて、切れ目が設けられていない非開放部を備え、締結具を解いて左右の切れ目を開放することにより、胴収容部本体から前開き部分を前方に開いて、下腹部について左右の切れ目間に渡る部位全てを、露出させることができる。
本願の請求項２に係る考案は、本願の請求項１に係る考案にあって、次の構成を採る受診用下衣を提供する。即ち、胴収容部の左右夫々は、締結具とは別途の、前開き部分の左右上端と胴収容部本体の左右上端とを結合する係止部を備える。
本願の請求項３に係る考案は、本願の請求項２に係る考案にあって、次の構成を採る受診用下衣を提供する。即ち、胴収容部のウエスト部分の生地には、胴回りに沿って伸縮自在な弾性部材が設けられ、弾性部材は、前開き部分と胴収容部本体の夫々において、左側の切れ目から右側の切れ目に掛けて設けられたものである。胴収容部のウエスト部分の左右夫々について、当該ウエスト部分が胴回りに沿って最大限引き伸ばされた状態の、前開き部分の係止部が固定された部位と胴収容部本体の係止部が固定された部位との長さよりも、係止部夫々の胴回りの長さは、短い。
本願の請求項４に係る考案は、本願の請求項３に係る考案にあって、次の構成を採る受診用下衣を提供する。即ち、左右の係止部の夫々は、前開き部分の上端に基端が縫い付けられた前布片と、胴収容部本体の上端に基端が縫い付けられた後布片と、前布片と後布片夫々の先端側を、係脱自在に係止する係止具とを備える。
本願の請求項５に係る考案は、本願の請求項４に係る考案にあって、次の構成を採る受診用下衣を提供する。即ち、この受診用下衣は、縫い合わされた、左前身頃と、右前身頃と、左後身頃と、右後身頃と、股下布部とにて構成される。股下布部は、胴収容部の底部において、左前身頃と右前身頃と左後身頃と右後身頃との間に介され、左前端を左前身頃に、右前端を右前身頃に、左後端を左後身頃に、右後端を右後身頃に、縫い合わされたものである。
本願の請求項６に係る考案は、本願の請求項５に係る考案にあって、次の構成を採る受診用下衣を提供する。即ち、上記の締結具は、スライダーを備えたスライドファスナである。上記の前後の布片は、係止具にて係止されることにより、ウエスト部分に引き上げられたスライダーを覆うものである。上記の係止具は、ボタン、ホック、スナップ、コハゼ又は面ファスナである。
【考案の効果】
【０００７】
本願考案に係る受診用下衣は、パンツなどの下着を履かずに、直接身に付けて使用するものであり、この下衣は、胴受容部本体から前開き部分を区画する、左右の切れ目の下端が膝より下方に伸びておらず、左右の足収容部の夫々が少なくとも膝下から裾にかけて切れ目が設けられていない非開放部を備えるものであるため、締結具を解いて切れ目を全開にすることによって、着衣したまま、簡単に下腹部を露出させることができる。
即ち、特許文献１のように、ズボンの左右において、ファスナがズボンの上端から下端に掛けて設けられたものと異なり、本願考案では、下腹部を露出させるのに、適切な位置にスライダを下げるという注意が不要で、締結具を、切れ目の下端まで開くことで、下腹部の簡単に適切な開放が行えるのである。
特に、本願の請求項２に係る考案では、締結具を閉め忘れたり、長期の使用によって締結具が緩みがちになっていたとしても、係止部にて、前開き部分を係止することができ、不意に下腹部を露出させることがない。また、受診や治療の待機中に、締結具を解き、係止部にて前開き部を仮止めしておくことができ、受診や治療開始の際に、迅速に下腹部を露出させることができる。
本願の請求項３に係る考案では、胴収容部のウエスト部分の係止部が設けられた部位について、最大に引き伸ばされるのを係止部が抑止し、着衣や脱衣の際に、胴収容部のウエスト部分に係る負担を軽減した。
また、本願の請求項４に係る考案では、係止部は、前布片と後布片の先端を結合するものであるため、両布片と、胴収容部のウェスト部分との間に指を挿入して係止具をつまんで、当該係止具を結合することができ、係止具を係止するのに身体に係止具を押し付けずに済む。
更に、本願第５の請求項に係る考案では、股下布部が、局部と対応するものであり、身頃の縫い合わせ位置が局部に当る不快感を緩和することができた。特に、股下布部を設けない場合、左右の身頃を縫い合わせた線が、前開き部分の開閉の中心となる左右の切り目の下端同士を結ぶ線と交差するものとなり、前開き部分を開く際に、上記の左右の身頃の縫い合わせ線を折り返さねばならないが、股下布部が介在することにより、股下布部の前端が、左右の身頃の縫い合わせ線の終点を規定し、上記の交差を回避することができ、左右の身頃の縫い合わせ部分に負担を掛けない。
また更に、本願の請求項６に係る考案では、締結具をスライドファスナとするものにあって、前後の布片が、ウエスト部分に引き上げられたスライダを覆うことにより、腕や手にスライダが当るのを避けることができ、スライダによって手を痛めたり、不快感を生じることを緩和した。
【考案を実施するための最良の形態】
【０００８】
以下、図面に基づき本願考案の実施の形態を説明する。
図１は締結具にて切り目を閉じ且つ係止部を係止した状態を示す、本願考案に係る受診用下衣の斜視図である。図２は、図１に示す下衣の係止部の係止を解いた状態を示す斜視図である。図３は、図２の下衣において締結具を開けて同収容部の前開き部分を開いた状態を示す斜視図である。図４は、本願考案の下衣の主要部を展開した状態の分解平面図である。図５（Ａ）は係止部を係止する前の本願考案に係る下衣の一部切欠要部平面図であり、図５（Ｂ）は係止部を係止した同下衣の一部切欠要部平面図であり、図５（Ｃ）は係止部の長さと、胴収容部が腰周りに引き伸ばされた胴収容部のウエスト部分との長さを比較する説明図（要部平面図）である。
【０００９】
図１〜３へ示す通り、本願考案に係る受診用下衣１は、下腹部及び臀部を収容する上方に開口した筒状の胴収容部２と、胴収容部２の下方に延設されて足を収容する筒状の、右足収容部３と、左足収容部４とを備えたズボンである。
この受診用下衣１は、左右夫々に、体側に沿って上方から下方へ伸びる切れ目５，５と、当該切れ目を結合する締結具６，６とを備える。この左右の切れ目５，５により胴収容部本体２０から左右の切れ目５，５間の前開き部分２１が区画されている。
【００１０】
切れ目５，５の夫々は、胴収容部２の開口部２２を上端５ｘとし、当該開口部２２から股上の長さの０．８倍以上の長さ下方であって膝より下方側に越えない位置を下端５ｙとして、設けられたものであり、左右の足収容部３，４の夫々は、少なくとも膝下から裾にかけて、切れ目が設けられていない非開放部８，８を備える。
【００１１】
標準的な成人用の下衣の場合、切れ目５の上端５ｘから下端５ｙまでの長さは、当該開口部２２から股上の長さの０．８倍以上１．２倍以下とするのが好ましく、より具体的には、切れ目５の長さは、３０〜５０ｃｍとするのが好ましく、４０ｃｍ前後とするのが最も好ましい。この下衣において、切れ目５より下方が、上記の非開放部８，８である。
切れ目５を閉じる上記の締結具６，６としては、スライドファスナが好ましい。スライドファスナの各務歯６ｂを切れ目５の伸びる方向に沿うように配列し、引き手を供えたスライダー６ａを切れ目５の下端５ｙから上端５ｘへ引き上げることによって、ファスナを締め、切れ目５を閉じるものとする。締結具６として、市販のファスナを切れ目５に縫い付けて実施することができる。
締結具６としては、スライドファスナ以外に、ボタン、ホック、スナップ、コハゼ又は面ファスナを採用することができる。但しスライダの上げ下げにて、簡単に、切れ目を開閉することができる上記のスライドファスナを採用するのが好ましい。
【００１２】
また、胴収容部２は、その左右夫々に、上記の締結具６とは別途、前開き部分２１の左右上端と胴収容部本体２０の左右上端とを結合する係止部７，７を備える。
左右の係止部７，７の夫々は、前開き部分２１の上端に基端が縫い付けられた前布片７ａと、胴収容部本体２０の上端に基端が縫い付けられた後布片７ｂと、前布片７ａと後布片７ｂ夫々の先端側を、係脱自在に係止する係止具７ｃとを備える。
係止具７ｃには、ホックを採用することができる。即ち、図５（Ａ）へ示す通り、前布片７ａにホックの雌雄の一方を設けると共に後布片７ｂにホックの雌雄の他の一方を設けて、図５（Ｂ）へ示す通り、ホックの雌雄を結合することにより、ホックを締め、前後の布片７ａ，７ｂを一枚の布片として、一体とすることができ、前開き部分２１を胴収容部本体２０へ係止することができる。また、この図５（Ｂ）へ示す通り、係止部７（前後の布片７ａ，７ｂ）は、切れ目の上端に引き上げられたファスナのスライダ７を覆い、スライダと手や腕が接触するのを防ぐ。
係止具７ｃとしては、上記のホック以外に、ボタン、スナップ、コハゼ、面ファスナス又はスライドファスナを採用することができる。但し、手と接触することを考慮すると、ホックを採用するのが、最も好ましい。
【００１３】
上記の胴収容部２のウエスト部分の生地には、胴回りに沿って伸縮自在な弾性部材９が設けられている。弾性部材９は、前開き部分２１と胴収容部本体２０の夫々において、左側の切れ目から右側の切れ目５，５に掛けて設けられたものである。
弾性部材９には、ゴムを採用することができる。例えば、弾性部材９にゴム紐を採用し、胴収容部２の上端へ胴回りに沿って袋状の収容部を形成して、当該ゴム紐を通すものとしてもよく、直接ゴムを伸ばした状態にし胴収容部２の生地に縫い付けてもよい。
【００１４】
図５（Ｃ）へ示す通り、胴収容部２のウエスト部分の左右夫々について、胴回りに最大限引き伸ばした際の、前布片７ａの基端が縫い付けられる位置ａ２と、後布片７ｂの基端が縫い付けられる位置ｂ２との間の長さに対して、前後の布片７ａ，７ｂが一体とされた係止部７の長さ、即ち、胴回り方向について、係止部７の、胴収容部２の（前開き部分２１と胴収容部本体２０の）ウエスト部分に固定され位置ａ１−ｂ１間の幅は、上記引き伸ばされた胴収容部２の位置ａ２−ｂ２間の長さよりも小さい。このようにすることによって、係止具７を係止した状態において、胴収容部２のウエスト部分に、過大な力が掛かって傷めてしまうということが避けられる。
【００１５】
この下衣１はまた、胴収容部２の底部の両足収容部３，４間に、局部と対応する股下布部１５を備える。
具体的には、この下衣の生地は、図４へ示す通り、左前身頃１１と、右前身頃１２と、左後身頃１３と、右後身頃１４と、股下布部１５とにて構成される。
図４において、左右の前身頃１１，１２は下衣の表面側となる面を正面として表され、左右の後身頃１３，１４は下衣の裏面即ち身体と当接する面を正面として表されている。上記各身頃となる布の夫々を縫い合わせることによって、受診用下衣１が形成されるのである。
【００１６】
具体的に説明する。図４へ示す通り、左前身頃１１は、左端１１ａと、下方右端１１ｂと、上方右端１１ｃと、下方右端１１ｂと上方右端１１ｃとの間に位置し斜めに伸びる中央右端１１ｄとを備える。右前身頃１２は、右端１２ａと、下方左端１２ｂと、上方左端１２ｃと、下方左端１２ｂと上方左端１２ｃとの間に位置し斜めに伸びる中央左端１２ｄとを備える。左後身頃１３は、左端１３ａと、下方右端１３ｂと、上方右端１３ｃと、下方右端１３ｂと上方右端１３ｃとの間に位置し斜めに伸びる中央右端１３ｄとを備える。右後身頃１４は、右端１４ａと、下方左端１４ｂと、上方左端１４ｃと、下方左端１４ｂと上方左端１４ｃとの間に位置し斜めに伸びる中央左端１４ｄとを備える。
【００１７】
左前身頃１１の左端１１ａは、左後身頃１３の左端１３ａに、左前身頃１１の下方右端１１ｂは、左後身頃１３の下方右端１３ｂに、左前身頃１１の上方右端１１ｃは、右前身頃１２の上方左端１２ｃに、夫々縫い合わされる。また、右前身頃１２の右端１２ａは、右後身頃１４の右端１４ａに、右前身頃１２の下方左端１２ｂは、右後身頃１４の下方左端１４ｂに縫い合わされる。左後身頃１３の上方右端１３ｃは、右後身頃１４の上方左端１４ｃに縫い合わされる。
股下布部１５は、この実施の形態において、両対角線を前後方向及び左右方向に一致させた略菱形に形成され、その左前端１５ａが左前身頃１１の中央右端１１ｄに、その右前端１５ｂが右前身頃１２の中央左端１２ｄに、その左後端１５ｃが左後身頃１３の中央右端１３ｄに、その右後端１５ｄが右後身頃１４の中央左端１４ｄに、夫々縫い合わされている。
股下布部１５は、菱形以外の多角形や、正円、長円、楕円といった円形や、その他曲線形状或いは、曲線と直線とにて象られた形状を採用することができる。
このように、股下布部１５を設けた場合、前述の開口部２２から股上の長さというのは、開口部２２から股下布部１５の最下点ｍまでの長さを指す（図１）。
【図面の簡単な説明】
【００１８】
【図１】締結具にて切り目を閉じ且つ係止部を係止した状態を示す、本願考案に係る受診用下衣の斜視図である。
【図２】図１に示す下衣の係止部の係止を解いた状態を示す斜視図である。
【図３】図２の下衣において締結具を開けて同収容部の前開き部分を開いた状態を示す斜視図である。
【図４】本願考案の下衣の主要部を展開した状態の分解平面図である。
【図５】（Ａ）は係止部を係止する前の本願考案に係る下衣の一部切欠要部平面図であり、（Ｂ）は係止部を係止した同下衣の一部切欠要部平面図であり、（Ｃ）は係止部の長さと、胴収容部が腰周りに引き伸ばされた胴収容部のウエスト部分との長さを比較する説明図（要部平面図）である。
【符号の説明】
【００１９】
１    受診用下衣
２    胴収容部
３    右足収容部
４    左足収容部
５    切れ目
６    締結具
７    係止部
【図１】
0003145079.tif 000003
【図２】
0003145079.tif 000004
【図３】
0003145079.tif 000005
【図４】
0003145079.tif 000006
【図５】
0003145079.tif 000007